(57)【要約】【課題】  遮光性および十分な通気性を有する乳母車の幌を提供する。【解決手段】  乳母車の幌１０は、座席２の一方側部に取付けられて少なくとも座席２の一方側部上を覆う第１幌要素４と、第１幌要素４とは分離して設けられ、座席２の他方側部に取付けられて少なくとも座席２の他方側部上を覆う第２幌要素５とを備える。【選択図】      図１
2005119449.tif 000002
【特許請求の範囲】
【請求項１】
乳母車の座席の上部を覆う幌であって、
前記座席の一方側部に取付けられ、少なくとも座席の一方側部上を覆う第１幌要素と、
前記第１幌要素とは分離して設けられ、前記座席の他方側部に取付けられ、少なくとも座席の他方側部上を覆う第２幌要素とを備える、乳母車の幌。
【請求項２】
前記第１幌要素の先端部分と前記第２幌要素の先端部分とは、上下方向に離れて重なって位置している、請求項１に記載の乳母車の幌。
【請求項３】
前記各幌要素は、乳母車本体に固定される固定部材と、この固定部材に前後方向に回動可能に支持された移動部材とを含む、請求項１または２に記載の乳母車の幌。
【請求項４】
前記各幌要素は、幅方向に見て内外に重なった内側幌要素と外側幌要素とを含み、
前記内側幌要素および外側幌要素のうち、少なくともいずれか一方は、前後方向に回動可能に設けられている、請求項１〜３のいずれかに記載の乳母車の幌。
【請求項５】
前記各幌要素は、植物の葉または花びらの形状を有している、請求項１〜４のいずれかに記載の乳母車の幌。
【発明の詳細な説明】
【技術分野】
【０００１】
この発明は、乳母車の幌に関し、特に遮光性および通気性に優れた幌に関するものである。
【背景技術】
【０００２】
乳母車の幌の本来の目的は、座席に着座した子供を強い日差しから守ること（遮光性）である。この目的を果すために、幌は、座席の上部を覆うように設けられる。
【０００３】
いろいろな方向からの日差しを遮るために、例えば、特開２００２−１８７５５４号公報（特許文献１）、特開２００３−１９９６１号公報（特許文献２）、特開２００３−１９９６２号公報（特許文献３）には、ドーム形状の幌が提案されている。これらの公報に開示されたようなドーム形状の幌であれば、良好な遮光性を発揮できる。
【０００４】
一方、十分な遮光性を発揮するために大きな面積で座席上部を覆ってしまうと、通気性が阻害される。特開２００３−１９９６１号公報（特許文献２）や特開２００３−１９９６２号公報（特許文献３）においては、幌の一部をメッシュ材とすることにより通気性を確保するようにしている。
【特許文献１】特開２００２−１８７５５４号公報
【特許文献２】特開２００３−１９９６１号公報
【特許文献３】特開２００３−１９９６２号公報
【発明の開示】
【発明が解決しようとする課題】
【０００５】
特開２００３−１９９６１号公報（特許文献２）や特開２００３−１９９６２号公報（特許文献３）に開示されたように幌の一部をメッシュ材とすれば、ある程度の通気性を確保することはできるが、不十分である。
【０００６】
この発明の目的は、遮光性および十分な通気性を有する乳母車の幌を提供することである。
【課題を解決するための手段】
【０００７】
この発明は、乳母車の座席の上部を覆う幌であって、第１幌要素と第２幌要素とを備える。第１幌要素は、座席の一方側部に取付けられ、少なくとも座席の一方側部上を覆う。第２幌要素は、第１幌要素とは分離して設けられ、座席の他方側部に取付けられて少なくとも座席の他方側部上を覆う。
【０００８】
上記構成の幌によれば、座席の一方側部を覆う第１幌要素と、座席の他方側部を覆う第２幌要素とが分離して設けられているので、両者の間に存在する隙間を通して十分な通気性を確保できる。
【０００９】
好ましくは、第１幌要素の先端部分と第２幌要素の先端部分とは、上下方向に離れて重なって位置している。このように第１幌要素と第２幌要素とを上下方向に重ならせることにより、上方からの日差しを十分に遮ることができる。この場合であっても、第１幌要素の先端部分と第２幌要素の先端部分とが離れて位置しているので、両者の間に十分な隙間があり、良好な通気性を確保できる。
【００１０】
一つの実施形態では、各幌要素は、乳母車本体に固定される固定部材と、この固定部材に前後方向に回動可能に支持された移動部材とを含む。幌要素が移動部材を備えることにより、太陽の位置に応じて幌要素の位置を変更することができるようになる。したがって、良好な遮光性が得られる。また、側方から太陽の日差しが座席に入り込むような場合には、座席の両側部にある２つの幌要素のうち、一方の幌要素のみを太陽を遮る位置にもたらし、他方の幌要素を視界を開く位置にもたらすようにすることができる。このような使い方をすれば、十分な通気性を確保できることに加えて、乳母車を移動操作する親から座席内の子供の安全を確認できるし、座席内の子供にとっても良好な視界を確保できる。
【００１１】
また、一つの実施形態では、各幌要素は、幅方向に見て内外に重なった内側幌要素と外側幌要素とを含む。この場合、好ましくは、内側幌要素および外側幌要素のうち、少なくともいずれか一方は、前後方向に回動可能に設けられている。このようにすれば、内外の幌要素による遮光面積を適宜調節できるので、良好な遮光性および通気性を確保できる。内外の幌要素の重なり部分を小さくすれば、広範囲にわたって遮光することが可能になる。一方、内外の幌要素の重なり部分を大きくすれば、通気性を良好にすることができる。
【００１２】
一つの実施形態では、各幌要素は、植物の葉または花びらの形状を有している。このような形状の幌要素であれば、乳母車のデザイン的価値が高まる。
【発明を実施するための最良の形態】
【００１３】
図１〜図３はこの発明の一実施形態を示し、図４はその要部を図解的に示している。図示するように、乳母車１の座席２上に、幌１０が設けられている。乳母車１は、移動操作のための押棒の一部を構成する一対の縦棒３を備えている。図示した実施形態では、幌１０はこの縦棒３に取付けられる。
【００１４】
幌１０は、全体的に植物の葉の形状をした第１幌要素４と、第２幌要素５とを備える。第１幌要素４の基部４ａは一方の縦棒３に着脱可能に取付けられており、第２幌要素の基部５ａは他方の縦棒３に着脱可能に取付けられている。
【００１５】
第１幌要素４と第２幌要素５とは分離して設けられており、第１幌要素４は座席２の一方側部上を覆い、第２幌要素５は座席２の他方側部上を覆っている。
【００１６】
図示するように、第１幌要素４および第２幌要素５は、それぞれ、座席の側部から中央上部に向かって湾曲して延びており、それらの先端部分は上下方向に離れて上下に重なって位置している。この位置関係は、図４の図解図で明瞭に示されている。
【００１７】
上記の実施形態によれば、第１幌要素４と第２幌要素５とが分離して設けられているので、両者の間に存在する隙間を通して十分な通気性を確保できる。第１幌要素４および第２幌要素５の形状および大きさは任意に決められるが、両者の先端部分を座席のほぼ中央上部で重なるようにしておけば、上方からの日差しを十分に遮ることができる。この場合であっても、両幌要素４，５の先端部間を上下に離しておけば、両者の間に十分な隙間ができるので良好な通気性を確保できる。
【００１８】
図１〜図３に示すように、第１幌要素４および第２幌要素５が植物の葉の形状を有するようにしておけば、乳母車のデザイン的価値が高まる。植物の葉の形状に代えて植物の花びらの形状にしても、乳母車のデザイン的価値は高められる。
【００１９】
図５は、この発明の他の実施形態に係る第１幌要素２０を図解的に示している。図示していない第２幌要素は、第１幌要素２０と実質的に同じ構造を有している。第１幌要素２０は、乳母車本体に固定される固定部材２２と、この固定部材２２に前後方向に回動可能に支持された移動部材２１とを含む。この実施形態によれば、図中想像線で示すように、太陽の位置に応じて移動部材２１の位置を変更することにより、良好な遮光性を発揮できる。
【００２０】
図６および図７は、この発明のさらに他の実施形態に係る第１幌要素３０を図解的に示している。図示していない第２幌要素は、第１幌要素３０と実質的に同じ構造を有している。第１幌要素３０は、幅方向に見て内外に重なった内側幌要素３１と外側幌要素３２とを含む。内外の幌要素３１，３２のうち少なくともいずれか一方は、前後方向に回動可能に設けられている。図示した実施形態では、内側幌要素３１が前後方向に回動可能に設けられている。
【００２１】
図６および図７に示した実施形態の場合、内外の幌要素３１，３２による遮光面積を適宜調節できるので、良好な遮光性および通気性を確保できる。図６に示すように、内外の幌要素３１，３２の重なり部分を大きくすれば、通気性を良好にできる。一方、図７に示すように、内外の幌要素３１、３２の重なり部分を小さくすれば、広範囲にわたって遮光することが可能になる。
【００２２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２３】
この発明は、遮光性が要求される乳母車の幌に適用されるものであり、特に良好な通気性が要望される乳母車の幌に有利に適用され得る。
【図面の簡単な説明】
【００２４】
【図１】この発明の一実施形態である幌を備えた乳母車を前方から見た斜視図である。
【図２】図１の乳母車を後方から見た斜視図である。
【図３】幌要素と乳母車本体部分との連結部分を拡大して示す図である。
【図４】この発明の一実施形態を乳母車の前方から見た図解図である。
【図５】この発明の他の実施形態の幌要素を乳母車の側方から見た図解図である。
【図６】この発明のさらに他の実施形態の幌要素を乳母車の側方から見た図解図である。
【図７】図６の状態から、内側幌要素を前方に回動させた後の状態を示す図である。
【符号の説明】
【００２５】
１  乳母車、２  座席、３  縦棒、４  第１幌要素、４ａ  基部、５  第２幌要素、５ａ  基部、１０  幌、２０  第１幌要素、２１  移動部材、２２  固定部材、３０  第１幌要素、３１  内側幌要素、３２  外側幌要素。
【図１】
2005119449.tif 000003
【図２】
2005119449.tif 000004
【図３】
2005119449.tif 000005
【図４】
2005119449.tif 000006
【図５】
2005119449.tif 000007
【図６】
2005119449.tif 000008
【図７】
2005119449.tif 000009